(57)【要約】【課題】予め網に保持され、端末の発呼時に特段の指定がない場合に、発信者番号として着信側に通知するためのデフォルトの番号を、網による検証を受けながら、端末から任意に設定可能とする。【解決手段】網２０の信号処理部２１で、端末１０からの信号を受信しデフォルト番号の設定要求か判定し、設定要求ならば設定要求されたデフォルト番号を抽出する。番号検証部２２で、設定要求されたデフォルト番号が、加入者データ記憶部２３の番号候補記憶エリアに予め記憶されているか検証し、記憶されていれば当該デフォルト番号のみをデフォルト番号記憶エリアに書き込む。【選択図】      図１
2004328139.tif 000002
【特許請求の範囲】
【請求項１】
網に収容した端末の発呼時に、前記網で保持しているデフォルト番号を発信者番号として着信側に通知する発信者番号通知サービスを行う通信システムにおいて、
前記網に、前記端末対応に複数のデフォルト番号の候補をあらかじめ記憶した番号候補記憶手段と、前記複数の候補のうちの１つのみをデフォルト番号として記憶するデフォルト番号記憶手段と、前記端末からの信号を受信しデフォルト番号の設定要求か判定し、設定要求ならば設定要求されたデフォルト番号を抽出する信号処理手段と、前記設定要求されたデフォルト番号が前記番号候補記憶手段に候補として記憶されているか検証し、記憶されていれば当該デフォルト番号を前記デフォルト番号記憶手段に書き込む番号検証手段とを備えることを特徴とする通信システム。
【請求項２】
網に収容した端末の発呼時に、前記網で保持しているデフォルト番号を発信者番号として着信側に通知する発信者番号通知サービスを行う通信システムにおいて、
前記網に、前記端末対応に複数のデフォルト番号の候補をあらかじめ記憶した番号候補記憶手段と、前記複数の候補のうちの１つのみをデフォルト番号として記憶するデフォルト番号記憶手段と、前記端末からの信号を受信し発呼要求か判定し、発呼要求ならばデフォルト番号の設定要求があるか判定し、設定要求があるならば設定要求されたデフォルト番号を抽出する信号処理手段と、前記設定要求されたデフォルト番号が前記番号候補記憶手段に候補として記憶されているか検証し、記憶されていれば当該デフォルト番号を前記デフォルト番号記憶手段に書き込む番号検証手段とを備えることを特徴とする通信システム。
【請求項３】
前記複数のデフォルト番号の候補は、対応する端末のユーザーが着信側からの呼び返しの希望対象とする複数の端末の番号であることを特徴とする請求項１または２記載の通信システム。
【請求項４】
網に収容した端末の発呼時に、前記網で保持しているデフォルト番号を発信者番号として着信側に通知する発信者番号通知サービスを行う通信システムにおけるデフォルト発信者番号選択方法において、
前記網で、前記端末からの信号を受信しデフォルト番号の設定要求か判定し、設定要求ならば設定要求されたデフォルト番号を抽出し、前記設定要求されたデフォルト番号が前記端末対応に複数のデフォルト番号の候補をあらかじめ記憶した番号候補記憶手段に候補として記憶されているか検証し、記憶されていれば当該デフォルト番号のみをデフォルト番号記憶手段に書き込むことを特徴とするデフォルト発信者番号選択方法。
【請求項５】
網に収容した端末の発呼時に、前記網で保持しているデフォルト番号を発信者番号として着信側に通知する発信者番号通知サービスを行う通信システムにおけるデフォルト発信者番号選択方法において、
前記網で、前記端末からの信号を受信し発呼要求か判定し、発呼要求ならばデフォルト番号の設定要求があるか判定し、設定要求があるならばデフォルト番号の設定要求か判定し、設定要求ならば設定要求されたデフォルト番号を抽出し、前記設定要求されたデフォルト番号が前記端末対応に複数のデフォルト番号の候補をあらかじめ記憶した番号候補記憶手段に候補として記憶されているか検証し、記憶されていれば当該デフォルト番号のみをデフォルト番号記憶手段に書き込むことを特徴とするデフォルト発信者番号選択方法。
【請求項６】
前記複数のデフォルト番号の候補は、対応する端末のユーザーが着信側からの呼び返しの希望対象とする複数の端末の番号であることを特徴とする請求項４または５記載のデフォルト発信者番号選択方法。
【発明の詳細な説明】
【０００１】
【発明の属する技術分野】
本発明は発信者番号通知サービスを行う通信システム、及びそのデフォルト発信者番号選択方法に関し、特に網に収容した端末の発呼時に、前記網で保持しているデフォルト番号を発信者番号として着信側に通知する発信者番号通知サービスを行う通信システムと、そのデフォルト発信者番号選択方法とに関する。
【０００２】
【従来の技術】
従来のＷ−ＣＤＭＡ移動通信システムにおける発信者番号通知サービス（Ｃａｌｌｉｎｇ  Ｌｉｎｅ  Ｉｄｅｎｔｉｆｉｃａｔｉｏｎ  Ｐｒｅｓｅｎｔａｔｉｏｎ：ＣＬＩＰ）は  ３ＧＰＰ  ＴＳ２２．０８１、ＴＳ２３．０８１、ＴＳ２４．０８１に記載されている。
【０００３】
移動通信システムにおける発信者番号通知サービスの処理の流れを図６、図７を用いて説明する。図７に示すように、この従来の発信者番号通知サービスは、このサービスを登録している移動端末６０に対して、移動端末１０からの呼が着信した場合、移動端末６０への着信ＳＥＴＵＰメッセージ内の発信者番号情報要素に発信者である移動端末１０の加入者番号が設定され、着信端末６０へ発信者番号を通知するものである。
【０００４】
図７において、移動端末１０が発信すると、発側網２０へＳＥＴＵＰメッセージが送信される。図６は、移動通信システムにおける発信者番号通知サービスの発側網でのフローチャートである。発側網２０では、端末１０からの発呼要求（ＳＥＴＵＰメッセージ）を受け付けると、ＳＥＴＵＰメッセージ内に発番号情報要素が載っているかを調べ（図６の分岐１）、載っていない場合、デフォルト番号を設定して着側網へ呼設定表示（ＳＥＴＵＰ  ＩＮＤＩＣＡＴＩＯＮ）を行う。ここでデフォルト番号とは、網で保持する加入者番号のことである。また、図６の分岐１にて発番号情報要素が載っている場合は、特別契約ありかどうかを調べ（分岐２）、なければＳＥＴＵＰメッセージに設定された番号は適切かどうか、すなわち、適切な番号計画が適用されているか、端末１０の正しい番号かどうかをデフォルト番号と比較、検証を行う（図６の分岐３）。検証の結果ＯＫの場合は、ＳＥＴＵＰメッセージ内の番号を設定して着側網へ呼設定表示（ＳＥＴＵＰ  ＩＮＤＩＣＡＴＩＯＮ）を行う。検証の結果ＮＧの場合は、デフォルト番号を設定して着側網へ呼設定表示（ＳＥＴＵＰ  ＩＮＤＩＣＡＴＩＯＮ）を行う。図７において着側網５０では、発側網２０から受け取った発信者番号をＳＥＴＵＰメッセージに設定して端末６０へ通知する。
【０００５】
次に移動通信システムにおける発信者側の動作について説明する。従来の発信者番号通知サービスにおける発信者側の動作としては、ＳＥＴＵＰメッセージに発信者番号を載せるか（通知あり）、発信者番号の通知を拒否するか（非通知）のどちらかを選択できる。ただし、非通知を選択できるのは、発信者が発信者番号通知制限サービス（Ｃａｌｌｉｎｇ  Ｌｉｎｅ  Ｉｄｅｎｔｉｆｉｃａｔｉｏｎ  Ｒｅｓｔｒｉｃｔｉｏｎ：ＣＬＩＲ）に加入している場合である。
【０００６】
また、発信者番号通知サービスにより通知される番号の用途としては、着信者が呼び出しの段階で番号から発信者を特定することができるという用途以外に、着信者が応答できなかった場合などに、着信者から発信者へ呼び返しを行うために利用されると一般に認識されている。
【０００７】
上述した従来技術には、次のような問題点があった。すなわち、着信端末に通知される発信者番号は、必ず発信を行った移動端末の加入者番号となることである。現在のように一人で複数の移動端末や固定電話機を使用している場合でも、着信端末には常に発信した移動端末の番号が通知されるため、着信者がその番号を利用して返信する際に、常に発信した端末が呼び返されてしまうという問題があった。その理由は、発信者が着信端末に通知される発信者番号を選択する手段が提供されていないためである。たとえ、発信ＳＥＴＵＰメッセージ内の発信者番号情報要素を発信端末以外の番号に設定しても、発側網において保持するデフォルト番号、すなわち発信端末の加入者番号に変更されてしまうため、結局着信端末には、必ず発信端末の番号が通知されてしまう。
【０００８】
また、特別契約ありの加入者の場合は、網検証を行わないため、発信ＳＥＴＵＰメッセージ内の発信者番号情報要素に発信端末以外の番号を設定すれば、着信端末にはその番号が通知される。しかしこの場合、網検証なしの番号、すなわち網で保証されない番号が通知される。
【０００９】
そこで、複数の電話番号を対応する番号選択コードとともに１つの移動端末に関連付けておき、移動端末から発呼の度に番号選択コードを送信することにより、網側で複数の電話番号のうちの任意の電話番号を発信者番号として処理可能とした技術が提案されている（例えば、特許文献１参照）。しかし、この技術においても、移動端末が番号選択コードを送信しないときは、あらかじめ網側に設定されたデフォルトの番号が発信者番号として処理される。
【００１０】
【特許文献１】
特開２００１−１３６５６０号公報（第２−３頁、図２−３）
【００１１】
【発明が解決しようとする課題】
本発明の目的は、あらかじめ網に保持され、端末の発呼時に特段の指定がない場合に、発信者番号として着信側に通知するためのデフォルトの番号を、網による検証を受けながら、端末（ユーザー）から任意に設定可能とした発信者番号通知サービスを行う通信システム、及びそのデフォルト発信者番号選択方法を提供することにある。
【００１２】
【課題を解決するための手段】
本発明の請求項１に係る通信システムは、網に収容した端末の発呼時に、前記網で保持しているデフォルト番号を発信者番号として着信側に通知する発信者番号通知サービスを行う通信システムにおいて、前記網に、前記端末対応に複数のデフォルト番号の候補をあらかじめ記憶した番号候補記憶手段と、前記複数の候補のうちの１つのみをデフォルト番号として記憶するデフォルト番号記憶手段と、前記端末からの信号を受信しデフォルト番号の設定要求か判定し、設定要求ならば設定要求されたデフォルト番号を抽出する信号処理手段と、前記設定要求されたデフォルト番号が前記番号候補記憶手段に候補として記憶されているか検証し、記憶されていれば当該デフォルト番号を前記デフォルト番号記憶手段に書き込む番号検証手段とを備える。
【００１３】
本発明の請求項２に係る通信システムは、網に収容した端末の発呼時に、前記網で保持しているデフォルト番号を発信者番号として着信側に通知する発信者番号通知サービスを行う通信システムにおいて、前記網に、前記端末対応に複数のデフォルト番号の候補をあらかじめ記憶した番号候補記憶手段と、前記複数の候補のうちの１つのみをデフォルト番号として記憶するデフォルト番号記憶手段と、前記端末からの信号を受信し発呼要求か判定し、発呼要求ならばデフォルト番号の設定要求があるか判定し、設定要求があるならば設定要求されたデフォルト番号を抽出する信号処理手段と、前記設定要求されたデフォルト番号が前記番号候補記憶手段に候補として記憶されているか検証し、記憶されていれば当該デフォルト番号を前記デフォルト番号記憶手段に書き込む番号検証手段とを備える。
【００１４】
本発明の請求項３に係る通信システムは、請求項１または２に係る通信システムにおいて、前記複数のデフォルト番号の候補は、対応する端末のユーザーが着信側からの呼び返しの希望対象とする複数の端末の番号である構成を有する。
【００１５】
本発明の請求項４に係るデフォルト発信者番号選択方法は、網に収容した端末の発呼時に、前記網で保持しているデフォルト番号を発信者番号として着信側に通知する発信者番号通知サービスを行う通信システムにおけるデフォルト発信者番号選択方法において、前記網で、前記端末からの信号を受信しデフォルト番号の設定要求か判定し、設定要求ならば設定要求されたデフォルト番号を抽出し、前記設定要求されたデフォルト番号が前記端末対応に複数のデフォルト番号の候補をあらかじめ記憶した番号候補記憶手段に候補として記憶されているか検証し、記憶されていれば当該デフォルト番号のみをデフォルト番号記憶手段に書き込む工程を有する。
【００１６】
本発明の請求項５に係るデフォルト発信者番号選択方法は、網に収容した端末の発呼時に、前記網で保持しているデフォルト番号を発信者番号として着信側に通知する発信者番号通知サービスを行う通信システムにおけるデフォルト発信者番号選択方法において、前記網で、前記端末からの信号を受信し発呼要求か判定し、発呼要求ならばデフォルト番号の設定要求があるか判定し、設定要求があるならばデフォルト番号の設定要求か判定し、設定要求ならば設定要求されたデフォルト番号を抽出し、前記設定要求されたデフォルト番号が前記端末対応に複数のデフォルト番号の候補をあらかじめ記憶した番号候補記憶手段に候補として記憶されているか検証し、記憶されていれば当該デフォルト番号のみをデフォルト番号記憶手段に書き込む工程を有する。
【００１７】
本発明の請求項６に係るデフォルト発信者番号選択方法は、請求項４または５に係るデフォルト発信者番号選択方法において、前記複数のデフォルト番号の候補は、対応する端末のユーザーが着信側からの呼び返しの希望対象とする複数の端末の番号とする工程を有する。
【００１８】
【発明の実施の形態】
まず、本発明の概要を説明する。本発明は、発信者番号通知サービスを登録している端末に対して通知する発信者番号を、予め発信端末（発信ユーザー）からの操作により選択し、網に設定することにより、発呼の度に番号選択コードを送信することなく、複数の端末を利用しているユーザーが発呼に応じて呼び返してもらう端末を指定可能とした発信者番号通知サービスを行う移動通信システム、及びそのデフォルト発信者番号選択方法を提供するものである。
【００１９】
より具体的に説明すると、移動端末は、デフォルト番号設定を行うために、デフォルト番号設定インヴォークコンポーネントを含むＦＡＣＩＬＩＴＹ（ファシリティ）メッセージを網に送信する。ここで、デフォルト番号とは、発信者番号通知サービスで着信端末に通知される発信者番号を網で設定する場合に使用する番号である（デフォルト番号の発信者番号通知サービスにおける詳細な用途については、従来の技術欄及び後述の説明を参照のこと）。
【００２０】
網内の信号処理部では、ＦＡＣＩＬＩＴＹメッセージがデフォルト番号設定要求であることを認識し、番号検証部に通知する。移動端末のデフォルト番号、及びデフォルト番号候補は網内の加入者データ記憶部で保持しているので、番号検証部は要求された番号がデフォルト番号として適切であるかを加入者データ記憶部に問い合わせて検証する。検証の結果ＯＫであれば、番号検証部は加入者データ記憶部に対し要求された番号をデフォルト番号として設定するよう依頼する。次に、要求が正常に受け付けられたことを移動端末に知らせるために、番号検証部は信号処理部に対して、処理結果を送信するよう依頼し、信号処理部は移動端末へデフォルト番号設定リターンリザルトコンポーネントを含むＦＡＣＩＬＩＴＹメッセージを送信する。
【００２１】
このようにして、網で保持しているデフォルト番号を発信端末からの操作により選択、変更することを可能にする。
【００２２】
次に、本発明の実施の形態について図面を参照して詳細に説明する。
【００２３】
図１は本発明の一実施の形態（第１の実施の形態）を示すブロック構成図であり、移動通信システムのうち本発明に関係する部分のみを示している。図１において、本例の移動通信システムは、信号を送受信する信号処理部２１と、要求された番号がデフォルト番号として適切であるかを検証する番号検証部２２と、端末毎にデフォルト番号とデフォルト番号候補データを管理する加入者データ記憶部２３とを有する網２０と、網２０の配下に属し、無線及び有線を用いて網２０と通信を行う移動端末１０とを備えている。
【００２４】
図２の分図（Ｂ）は、移動端末１０の加入者データの一部であるデフォルト番号候補データを示す図である。網管理者がデフォルト番号として使用するのが適切であると判断した番号の一覧をデフォルト番号候補データとして、予め保守者により網に設定し保持しておく。デフォルト番号に用いるのに適切な番号とは、例えば同じ契約者（ユーザー）の他の移動端末の番号や、契約者の家族の移動端末の番号や、契約者が使用する固定電話の番号などである。
【００２５】
図３及び図４はそれぞれ、デフォルト番号設定が正常／非正常に行われた場合の動作シーケンスを示す図である。移動端末１０からの要求にはＦＡＣＩＬＩＴＹメッセージのファシリティ情報要素にデフォルト番号設定インヴォークコンポーネントを設定し、さらにその中に新たに設定要求するデフォルト番号を設定し、網へ送付する（図３の符号３１、図４の符号３３）。
【００２６】
要求が正常に受け入れられたときは、網がＦＡＣＩＬＩＴＹメッセージのファシリティ情報要素にデフォルト番号設定リターンリザルトコンポーネントを設定し、移動端末１０へ送付する（図３の符号３２）。
【００２７】
番号検証ＮＧなどにより要求を受け入れることができないときは、網がＦＡＣＩＬＩＴＹメッセージのファシリティ情報要素にデフォルト番号設定リターンエラーコンポーネントを設定し、その中にエラー値として“番号検証失敗”を設定し、移動端末１０へ送信する（図４の符号３４）。
【００２８】
図５は、網２０におけるデフォルト番号設定の動作フローを示す図である。移動端末１０は、デフォルト番号設定インヴォークコンポーネントに新しく指定するデフォルト番号を設定したＦＡＣＩＬＩＴＹメッセージを網２０へ送出する。網２０は、ＦＡＣＩＬＩＴＹメッセージを受信すると（ステップＳ１１）、メッセージ内にデフォルト番号インヴォークコンポーネントが含まれているかを確認し（ステップＳ１２）、含まれていれば、デフォルト番号設定処理（ステップＳ１３）へと進む。
【００２９】
デフォルト番号設定処理では、インヴォークコンポーネント内にデフォルト番号が設定されているかを確認し（ステップＳ１３１）、設定されていれば、その番号はデフォルト番号として適切であるかどうかを、移動端末１０のデフォルト番号候補データ（図２の分図（Ｂ））を参照して検証する（ステップＳ１３２）。検証の結果ＯＫであれば、移動端末１０のデフォルト番号データを、それまでの値から新しく指定された値に書き換え（ステップＳ１３３）、ＦＡＣＩＬＩＴＹメッセージに書き換えたデフォルト番号データに従ってデフォルト番号設定リターンリザルトコンポーネントを設定する（ステップＳ１３４）。
【００３０】
ステップＳ１３１の処理でインヴォークコンポーネント内にデフォルト番号が設定されていなかった場合、及びステップＳ１３２の処理で設定されていたデフォルト番号が適切な番号でなかった場合は、ＦＡＣＩＬＩＴＹメッセージに今までと同じデフォルト番号データに従ってデフォルト番号設定リターンリザルトコンポーネントを設定する（ステップＳ１３５）。
【００３１】
網２０は、このようにしてデフォルト番号設定リターンリザルトコンポーネントが設定されたＦＡＣＩＬＩＴＹメッセージを移動端末１０へ送信する（ステップＳ１４）。
【００３２】
次に、図１〜図５を参照して本実施の形態例の全体の動作について詳細に説明する。
【００３３】
まず、正常にデフォルト番号変更が行われる場合の動作について説明する。
【００３４】
ここで、図２の分図（Ａ）に示すように、移動端末１０の加入者番号は“００００１１１１２２２２”であり、現在のデフォルト番号は“００００１１１１２２２２”であるとする。ユーザーはこれ以降の発呼については呼び返しの番号を“３３３３４４４４５５５５”に変更するためにデフォルト番号の変更を行う場合の動作について説明する。
【００３５】
図１及び図３に示すように、移動端末１０はデフォルト番号を変更するために、デフォルト番号設定インヴォークコンポーネントに“３３３３４４４４５５５５”を設定してＦＡＣＩＬＩＴＹメッセージ３１を網２０へ送信する（図１のＭ１）。
【００３６】
網２０では、ＦＡＣＩＬＩＴＹメッセージを信号処理部２１が受信し、デフォルト番号設定インヴォークコンポーネントが含まれていることを認識し、番号検証部２２へ通知する（図１のＭ２）。番号検証部２２では、メッセージ内にデフォルト番号が設定されているかを確認し、その番号、すなわち“３３３３４４４４５５５５”がデフォルト番号として適切であるかを検証するために、加入者データ記憶部２３に移動端末１０のデフォルト番号候補データに含まれているか問い合わせる（図１のＭ３）。
【００３７】
図２の分図（Ｂ）に示すように、“３３３３４４４４５５５５”は移動端末１０のデフォルト番号候補データに含まれているため検証結果はＯＫとなり、番号検証部２２は加入者データ記憶部２３に移動端末１０のデフォルト番号データを“００００１１１１２２２２”から“３３３３４４４４５５５５”に変更するよう依頼する（図１のＭ４）。加入者データ記憶部２３では、図２の分図（Ａ）に示すようにデフォルトデータを書き換える。
【００３８】
次に、要求が正常に受け付けられたことを移動端末１０に知らせるために、番号検証部２２は信号処理部２１に対して、処理結果を送信するよう依頼し（図１のＭ５）、信号処理部２１は移動端末１０へデフォルト番号設定リターンリザルトコンポーネントを含むＦＡＣＩＬＩＴＹメッセージ３２を送信し（図１のＭ６）、移動端末１０のデフォルト番号が正常に変更できたことを通知する。
【００３９】
次に、デフォルト番号変更要求が受け入れられない場合の動作について説明する。ここで、移動端末１０がデフォルト番号候補データに含まれない番号である“９９８８７７６６５５４４”に変更要求した場合を例に説明する。
【００４０】
図４に示すように、移動端末１０はデフォルト番号を“９９８８７７６６５５４４”に変更するために、ＦＡＣＩＬＩＴＹメッセージ３３内のデフォルト番号設定インヴォークコンポーネントにデフォルト番号を設定し、網２０へ送信する。
【００４１】
図５のフローチャートに示すように、ＦＡＣＩＬＩＴＹメッセージ３３を受信した網２０は（ステップＳ１１）、デフォルト番号インヴォークコンポーネントが含まれているかを確認し（ステップＳ１２）、含まれているため、デフォルト番号設定処理Ｓ１３へと進む。デフォルト番号設定処理Ｓ１３では、インヴォークコンポーネント内にデフォルト番号が設定されているかを確認し（ステップＳ１３１）、続いて、その番号はデフォルト番号として適切であるかどうかを、移動端末１０のデフォルト番号候補データ（図２の分図（Ｂ））を参照して検証する（ステップＳ１３２）。“９９８８７７６６５５４４”はデフォルト番号候補データに含まれないため、検証の結果ＮＧとなり、ＦＡＣＩＬＩＴＹメッセージ３４のデフォルト番号設定リターンエラーコンポーネントに“番号検証失敗”を設定し（ステップＳ１３５）、移動端末１０へ送信する（ステップＳ１４）。
【００４２】
次に、デフォルト番号がどのように発信者番号通知サービスで使用されるかを図６、図７を用いて説明する。
【００４３】
なお、移動端末１０には通常、自局番号（この場合、“００００１１１１２２２２”）が予め設定されており、使用者の操作では変更できないようになっている。また、自局番号を着信先に通知するか、非通知にするか（Ｃａｌｌｉｎｇ  Ｌｉｎｅ  Ｉｄｅｎｔｉｆｉｃａｔｉｏｎ  Ｒｅｓｔｒｉｃｔｉｏｎ：ＣＬＩＲ）のどちらかを選択できる。ここでは、通常の端末設定である、正しい自局番号を通知ありで発呼した場合を例に説明する。
【００４４】
図７において、移動端末１０から発呼すると、ＳＥＴＵＰメッセージに自局番号として“００００１１１１２２２２”が設定されて網２０へ送信される。
【００４５】
次に図６を用いて網２０における処理の流れを説明する。網２０では、ＳＥＴＵＰメッセージを受信して（ステップＳ２１）、そのメッセージに発番号情報要素があるかをチェックする分岐１の処理（ステップＳ３１）にて発番号情報要素が載っているため、次の特別契約ありかをチェックする分岐２の処理（ステップＳ３２）へと処理が進む。分岐２では、特別契約なしであるため、番号検証を行う分岐３の処理（ステップＳ３３）へと進み、番号検証を行うが、デフォルト番号“３３３３４４４４５５５５”と、ＳＥＴＵＰ内の番号“００００１１１１２２２２”とが一致しないため、検証ＮＧとなり、デフォルト番号である“３３３３４４４４５５５５”が採用され、着側網５０へと通知される。
【００４６】
図７において、着側網５０では、ＳＥＴＵＰ  ＩＮＤＩＣＡＴＩＯＮに設定されてきた番号である“３３３３４４４４５５５５”を発信者番号として端末６０へ通知する。
【００４７】
次に、本発明の他の実施の形態（第２の実施の形態）について図８、図９を参照して詳細に説明する。本実施の形態例における構成図、デフォルト番号データなどは図１、図２に示す第１の実施の形態と同様であるが、使用するメッセージが、図８に示すように、ＳＥＴＵＰメッセージ４１、ＣＡＬＬ  ＰＲＯＣメッセージ４２，４３である点が異なる。すなわち発信者が発呼と同時にデフォルト番号の設定の要求を行う方法である。
【００４８】
図８において、移動端末１０はデフォルト番号を変更するために、デフォルト番号設定インヴォークコンポーネントに“３３３３４４４４５５５５”を設定してＳＥＴＵＰメッセージ４１を網２０へ送信する。
【００４９】
図９のフローチャートに示すように、網２０は、ＳＥＴＵＰメッセージ４１を受信すると（ステップＳ２１）、メッセージ内にデフォルト番号設定インヴォークコンポーネントが含まれているかを確認し（ステップＳ２２）、含まれている場合、図５に示すデフォルト番号設定処理（Ｓ１３＝Ｓ１３１〜Ｓ１３５）と同様のデフォルト番号設定処理Ｓ２３へと進む。
【００５０】
含まれていない場合は、通常のＳＥＴＵＰメッセージ受信時と同様の処理を行う。
【００５１】
デフォルト番号設定の結果については、デフォルト番号設定処理内でＦａｃｉｌｉｔｙ情報要素に設定しているが、これを図８に示すＣＡＬＬ  ＰＲＯＣメッセージ４２または４３にて移動端末１０に送信する。
【００５２】
【発明の効果】
本発明によれば、発信者番号通知で使用するデフォルト番号を端末からの操作で変更でき、発信時に着信先に対して呼び返してほしい番号を選択できるので、発信は全て同じ端末から行っても、保有している複数の端末を用途に分けて呼び返しさせる（着信させる）ことができる。また、網管理者が予めデフォルト番号として適切であると判断した番号をデフォルト番号候補データとして網に保持し、デフォルト番号設定要求受付時、要求された番号がそのデフォルト番号候補データに含まれるかを確認しているので、網検証でＯＫとなった番号が発信者番号通知サービスに登録している端末に通知されるため、不正な番号の使用を排除することができる。
【図面の簡単な説明】
【図１】本発明の一実施の形態を示すブロック構成図である。
【図２】図１に示す移動端末の加入者データの一部を示す図であり、分図（Ａ）はデフォルト番号データを示し、分図（Ｂ）はデフォルト番号候補データを示す。
【図３】デフォルト番号設定が正常に行われた場合の動作シーケンスを示す図である。
【図４】デフォルト番号設定が非正常に行われた場合の動作シーケンスを示す図である。
【図５】図１に示す網におけるデフォルト番号設定の動作フローを示す図である。
【図６】発信側網の発信者番号通知の動作フローを示す図である。
【図７】発信者番号通知サービスのシーケンス例を示す図である。
【図８】本発明の他の実施の形態の動作シーケンスを示す図である。
【図９】本発明の他の実施の形態のデフォルト番号設定及び発信者番号通知サービスの動作フローを示す図である。
【符号の説明】
１０    移動端末
２０    網
２１    信号処理部
２２    番号検証部
２３    加入者データ記憶部
【図１】
2004328139.tif 000003
【図２】
2004328139.tif 000004
【図３】
2004328139.tif 000005
【図４】
2004328139.tif 000006
【図５】
2004328139.tif 000007
【図６】
2004328139.tif 000008
【図７】
2004328139.tif 000009
【図８】
2004328139.tif 000010
【図９】
2004328139.tif 000011